(57)【要約】【課題】シンプル且つ比較的計量な構成で運搬、据え付け、撤去等の作業を人手により行うことができ、しかも十分な剛性を有し、また、それ自体長さ調整が可能であって、踏み台ラインの長さ変更の要請に対応し得る作業用踏み台を提供することを課題とする。【解決手段】複数連結して踏み台ラインを構成するための作業用踏み台１であって、一対の端面壁２、３を複数本の連結杆４によって連結して構成される枠体の上面に天板５を定着して成る。連結杆４は、端部が端面壁２、３の周縁部に形成された差込孔６に差し込まれ、上面固定用切片１６ａと下面固定用切片１６ａを介して端面壁２、３に固定される。【選択図】図２
2015038284.tif 000002
【特許請求の範囲】
【請求項１】
複数連結して踏み台ラインを構成することが可能な作業用踏み台であって、一対の端面壁を複数本の連結杆によって連結して構成される枠体の上面に天板を定着して成り、前記連結杆は、端部が前記端面壁の周縁部に形成された差込孔に差し込まれることにより前記端面壁に固定されることを特徴とする作業用踏み台。
【請求項２】
前記端面壁は、２枚の成形板を間隔を置いて合着して形成される、請求項１に記載の作業用踏み台。
【請求項３】
前記端面壁を構成する成形板の前記差込孔形成部は、前記連結杆の断面に対応する四角形の一辺を残して押し曲げて開口することにより形成され、前記連結杆は、前記押し曲げに伴って形成される折曲片をその側面に当接させて固定することにより、前記端面壁に固定される、請求項３に記載の作業用踏み台。
【請求項４】
前記連結杆を所望長さに切断して前記端面壁に固定することにより、長さ調整が可能である、請求項１乃至３のいずれかに記載の作業用踏み台。
【請求項５】
中間に前記連結杆を挿通固定する挿通孔を設けた中間壁を更に有する、請求項１乃至４のいずれかに記載の作業用踏み台。
【請求項６】
前記端面壁及び中間壁には、配管、配線類を通すための水平方向に抜ける連通口が形成されると共に、前記連通口から上面に抜ける切離部が形成され、前記天板には、前記切離部に連通して、前記配管、配線類の引き出しを可能にしたスリットがその全長に亘って設けられる、請求項１乃至５のいずれかに記載の作業用踏み台。
【請求項７】
前記天板は複数に分割されたものとされ、前記スリットは、前記分割された天板同士を間隔を置いて設置することにより設けられる、請求項６に記載の作業用踏み台。
【請求項８】
請求項１乃至７のいずれかに記載の作業用踏み台を複数連結することにより形成されることを特徴とする作業用踏み台ライン。
【請求項９】
一対の端面壁を複数本の連結杆によって連結して構成される枠体の上面に天板を定着して成る作業用踏み台を複数用いて構成される作業用踏み台ラインであって、第１の作業用踏み台の前記端面壁に露出しているすべての又は一部の前記連結杆の開口端内に繋ぎ材の一半部を差し込み固定し、前記繋ぎ材の他半部を、前記第１の作業用踏み台に連結する第２の作業用踏み台の前記連結杆の開口端内に差し込み固定する方法により前記作業用踏み台を連結又は連設して構成されることを特徴とする作業用踏み台ライン。
【発明の詳細な説明】
【技術分野】
【０００１】
本発明は作業用踏み台及びそれを用いて構成される作業用踏み台ラインに関するものであり、より詳細には、例えば、自動車組み立て工場等において、搬送台上に載せられて搬送されてくる組み立て途中の自動車に対し、部品組み付け等の作業を行うために作業員が乗り、また、組み立て工具や部品等を搭載したワゴン台車を移動させるために、自動車の組み立てラインに沿って多数連結して踏み台ラインを形成するための作業用踏み台及びそれを用いて構成される作業用踏み台ラインに関するものである。
【背景技術】
【０００２】
従来、上記踏み台ラインを形成するための作業用踏み台は堅固であることが要請されるため、例えば、金属製の枠体の上面に鉄製天板を溶接して箱状に形成したものが用いられている。この従来の作業用踏み台はかなりな重量となるため、その運搬、据え付け等を人手のみによって行うことは困難で、クレーン等の重機を用いて行わざるを得なかった。また、枠体の上面に溶接される天板が歪みやすく、自動車の搬送ラインに沿って連結していく場合において、隣り合う天板との間にずれが生じやすかった。
【０００３】
更に、自動車の搬送ラインは、作業内容に対応してその全長が変更可能となるように構成される場合があるが、従来の作業用踏み台を連結して構成される踏み台ラインの場合は、全長の変更が可能な構成とはなっていない。仮に、長さの異なる作業用踏み台を組み入れて踏み台ラインの長さを調整しようとしても、各作業用踏み台の据え付け、撤去を人手によって行うことが困難なだけでなく、その都度長さの異なる作業用踏み台を用意することも困難であるので、事実上、伸縮可能な搬送ラインに対応して踏み台ラインの長さ調整を行うことはできなかった。
【０００４】
また、作業に際し、踏み台ライン上を電気機械工具やエア工具等の作業工具や部品を搭載したワゴン台車を移動させることもあるが、その場合、電気機械工具やエア工具等の作業器具に対して駆動用のエアや電流を供給するための配管やケーブルは、各作業用踏み台の内側空間に通され、天板に設けられるスリットから出されてワゴン台車に接続され、ワゴン台車の動きに追随可能にされる。当然のことながら、各作業用踏み台のスリットは連結時において一連のものとなる必要があるが、各作業用踏み台は個別に溶接して製造される関係上、スリットの位置に狂いが生じやすく、その位置合わせは簡単ではなかった。
【先行技術文献】
【特許文献】
【０００５】
【特許文献１】特開平１０−２５８９９８号公報
【発明の概要】
【発明が解決しようとする課題】
【０００６】
上述したように、例えば、自動車の搬送ラインに添設される踏み台ラインを構成する作業用踏み台の場合、重量が嵩むために人手による設置は困難であり、また、伸縮可能な自動車の搬送ラインに添設する場合に、その搬送ラインの長さの変更に追随して踏み台ラインの長さ調整を迅速に行うことは、事実上困難であった。更に、従来の作業用踏み台の場合は天板に歪みが起こりやすく、連結時において、配管等を摺り抜けさせるためのスリットを一連のものとすることが容易ではなかった。
【０００７】
本発明は、従来の作業用踏み台並びにそれを用いた作業用踏み台ラインにおけるこれらの問題を解決するためになされたもので、シンプル且つ比較的軽量な構成で運搬、据え付け、撤去等の作業を人手により行うことができ、しかも十分な剛性を有し、また、それ自体長さ調整が可能であるために、それを連結して構成される踏み台ラインの長さの変更が容易となる作業用踏み台及びそれを用いて構成される作業用踏み台ラインを提供することを課題とする。
【課題を解決するための手段】
【０００８】
上記課題を解決するための請求項１に記載の発明は、複数連結して踏み台ラインを構成することが可能な作業用踏み台であって、一対の端面壁を複数本の連結杆によって連結して構成される枠体の上面に天板を定着して成り、前記連結杆は、端部が前記端面壁の周縁部に形成された差込孔に差し込まれることにより前記端面壁に固定されることを特徴とする作業用踏み台である。
【０００９】
一実施形態においては、前記端面壁は、２枚の成形板を間隔を置いて合着して形成される。そして、その場合、前記端面壁を構成する成形板の前記差込孔形成部は、前記連結杆の断面に対応する四角形の一辺を残して押し曲げて開口することにより形成され、前記連結杆は、前記押し曲げに伴って形成される折曲片をその側面に当接させて固定することにより、前記端面壁に固定される。
【００１０】
また、一実施形態においては、前記連結杆を所望長さに切断して前記端面壁に固定することにより、長さ調整が可能にされる。また、中間に前記連結杆を挿通固定する挿通孔を設けた中間壁を更に有することもある。
【００１１】
また、一実施形態においては、前記端面壁及び中間壁には、配管、配線類を通すための水平方向に抜ける連通口が形成されると共に、前記連通口から上面に抜ける切離部が形成され、前記天板には、前記切離部に連通して、前記配管、配線類の引き出しを可能にしたスリットがその全長に亘って設けられる。その場合、前記天板は複数に分割されたものとされ、前記スリットは、前記分割された天板同士を間隔を置いて設置することにより設けられる。
【００１２】
上記課題を解決するための請求項８に記載の発明は、請求項１乃至７のいずれかに記載の作業用踏み台を複数連結することにより形成されることを特徴とする作業用踏み台ラインである。
【００１３】
また、上記課題を解決するための請求項９に記載の発明は、一対の端面壁を複数本の連結杆によって連結して構成される枠体の上面に天板を定着して成る作業用踏み台を複数用いて構成される作業用踏み台ラインであって、第１の作業用踏み台の前記端面壁に露出しているすべての又は一部の前記連結杆の開口端内に繋ぎ材の一半部を差し込み固定し、前記繋ぎ材の他半部を、前記第１の作業用踏み台に連結する第２の作業用踏み台の前記連結杆の開口端内に差し込み固定する方法により前記作業用踏み台を連結又は連設して構成されることを特徴とする作業用踏み台ラインである。
【発明の効果】
【００１４】
本発明は上記のとおりであって、本発明に係る作業用踏み台は、シンプル且つ比較的軽量な構成で、運搬、据え付け、撤去等の作業を人手により行うことができ、しかも十分な剛性を有し、また、それ自体長さ調整が可能であるため、それを連結して作業用踏み台ラインを構成する作業を容易且つ迅速に行うことが可能で、また、作業用踏み台ラインの長さ変更の要請に迅速に対応し得る効果がある。
【図面の簡単な説明】
【００１５】
【図１】本発明に係る作業用踏み台の使用例を示す平面図である。
【図２】本発明に係る作業用踏み台の一実施形態の構成を示す部分省略斜視図である。
【図３】本発明に係る作業用踏み台における枠体の構成方法を示す斜視図である。
【図４】本発明に係る作業用踏み台における端面壁の構成方法を示す斜視図である。
【図５】本発明に係る作業用踏み台における端面壁を示す正面図である。
【図６】図５におけるＡ−Ａ線断面図である。
【図７】図５におけるＢ−Ｂ線、Ｃ−Ｃ線及びＤ−Ｄ線断面図である。
【図８】本発明に係る作業用踏み台の第１の連結方法を示す断面図である。
【図９】本発明に係る作業用踏み台の第２の連結方法を示す断面図である。
【図１０】本発明に係る作業用踏み台における端面壁の他の構成例を示す正面図である。
【発明を実施するための形態】
【００１６】
本発明に係る作業用踏み台は、単独使用も可能なものであるが、主に、多数連結して踏み台ラインを形成するために用いられるものである。本発明に係る作業用踏み台１を用いて構成される踏み台ラインＡは、例えば、自動車組み立て工場における組み立てラインＢに沿って配設される（図１参照）。以下に、本発明を実施するための形態について、添付図面に依拠して説明する。
【００１７】
本作業用踏み台１は、図２に示されるように、一対の端面壁２、３を複数本の連結杆４によって連結し、更に必要に応じ、中間に連結杆４を挿通する中間壁１０を配して構成される枠体の上面に、天板５を定着して構成されるものである。各連結杆４は、端部がそれぞれ端面壁２、３の周縁部に形成される差込孔６に差し込まれ、後述する方法により端面壁２、３に固定される。端面壁２、３には、エア配管や電気配線類を通すための水平方向に抜ける大きな開口７、７ａが形成され、また、一側端に、エア配管や電気配線類を配置するための空間部７ｂが設けられる（図３、５参照）。
【００１８】
一実施形態においては、大きな開口７から上面に抜ける切離部８が形成される。そして、その上に配置される天板５には、切離部８に連通するスリット９が、その全長に亘って設けられる（図１、２参照）。このスリット９に、天板５上を走行するワゴン台車に設けられるローラーが嵌合して転動することにより、ワゴン台車のふらつきが防止される。また、電気機械工具やエア工具等の作業器具に対して駆動用のエアや電流を供給するための配管やケーブルがこのスリット９から出され、ワゴン台車に接続される。この実施形態の場合の天板５は、その全長に亘ってスリット９が設けられる関係上、複数に分割されたものとなる。なお、スリット９は、分割された天板５同士を間隔を置いて設置することにより形成することができる。
【００１９】
図示した実施形態における端面壁２、３は、通例、鋼板である２枚の成形板１１、１２を、間隔を置いて合着することにより形成される（図４参照）。その場合の成形板１１、１２は、ほぼ対称形であって、それぞれ開口７、７ａを形成するための大きな切り抜き部１３が設けられ、切り抜き部１３の適宜個所の縁辺、並びに、側端部が内方に折曲されて接合用折曲片１４が形成される。そして、一方の成形板１１の接合用折曲片１４と他方の成形板１２の接合用折曲片１４とがビス留めされることにより、成形板１１と成形板１２とが接合されて端面壁２、３が形成される（図７参照）。
【００２０】
また、成形板１１、１２の各縁辺部に、差込孔６を形成するための小開口１５が差込孔６の数だけ開設される。連結杆４としては、通例、断面四角形のアルミニウムパイプ等の中空角材が用いられるが、小開口１５は、この連結杆４の断面に対応するサイズの四角形に沿ってその３辺をカットし、カットし残した辺に沿って直角に押し曲げることにより形成され、その押し曲げに伴って形成される折片が固定用切片１６、１６ａとされる（図６〜９参照）。
【００２１】
その場合、例えば、一方の成形板１１においては上辺をカットし残して上面固定用切片１６を形成し、他方の成形板１２においては下辺をカットし残して下面固定用切片１６ａを形成し、成形板１１、１２の接合時に上面固定用切片１６と下面固定用切片１６ａとが対をなすようにすることが好ましい。そして、小開口１５内に連結杆４の端部を差し込む際、連結杆４を上面固定用切片１６と下面固定用切片１６ａとの間に差し込み、上面固定用切片１６を連結杆４の上面にビス留めすると共に、下面固定用切片１６ａを連結杆４の下面にビス留めする（図６参照）。
【００２２】
このようにして、各連結杆４の両端部を上面固定用切片１６と下面固定用切片１６ａとに固定していくことにより、各連結杆４と端面壁２、３とが確固と結合されるため、堅固な構造の箱状の枠体を形成することが可能となる。なお、上面固定用切片１６と下面固定用切片１６ａの代わりに、小開口１５の左右いずれかの側辺をカットし残して押し曲げることにより側面固定用切片を形成し、これを連結杆４の側面に当接させて連結杆４を固定するようにしてもよい。
【００２３】
本作業用踏み台１の枠体は、短尺の場合は端面壁２、３と連結杆４とにより形成可能であるが、長尺の場合には、更に中間に１又は複数の中間壁１０を配して、中間部の踏圧に対する強度を確保することとする。中間壁１０も、上記端面壁２、３の場合に準じた方法で製作され、その各差込孔１０ａに連結杆４が挿通され、各連結杆４は、端面壁２、３の場合と同様の方法で形成される固定用切片を介して中間壁１０に確固と結合される。
【００２４】
上述したように、連結杆４として断面四角形の中空角材が用いられるため、各作業用踏み台１において、各連結杆４の開口端が端面壁２、３の外側面側に露出した状態となる（突出する訳ではない。）。そのため、一方の作業用踏み台１の連結杆４と、これに連結される他方の作業用踏み台１の連結杆４の各端部内に繋ぎ材１８を渡す方法により、２つの作業用踏み台１を連結することが可能となる。作業用踏み台１を連設して踏み台ラインＡを構築する場合、予め製造した単独使用可能な作業用踏み台１を連結して構築する方法と、作業用踏み台１を組立てつつ構築する方法とが考えられ、また、これら２つの方法を取り交ぜて構築する方法が考えられるが、上記繋ぎ材１８を介して連結する方法は、これらいずれの構築方法にも採用可能である。  
【００２５】
図８は、予め製造した作業用踏み台１を連結していくことにより踏み台ラインＡを構築する方法を示すものである。この場合は、繋ぎ材１８の一半部を、第１の作業用踏み台１の端面壁３の差込孔６に露出している連結杆４の開口端内に差し込み、ビス留め等により固定した後、その他半部を、第１の作業用踏み台１に連結する第２の作業用踏み台１の端面壁２の差込孔６に露出している連結杆４の開口端内に差し込み、ビス留め等により固定することにより、第１の作業用踏み台１と第２の作業用踏み台１とを確固と連結することができる。なお、この繋ぎ材１８を介しての連結は、必ずしも複数の連結杆４のすべてについて行う必要はなく、そのうちのいくつかを選択して行うこととしてもよい。
【００２６】
図９は、作業用踏み台１を組立てつつ踏み台ラインＡを構築する方法を示すもので、この場合は、繋ぎ材１８の一半部を、第１の作業用踏み台１の連結杆４の開口端内に差し込み、ビス留め等により固定した後、その露出している他半部を、第２の作業用踏み台１を形成するための連結杆４の開口端内に差し込み、ビス留め等により固定する。この場合、第１の作業用踏み台１の連結杆４の端部は差込孔６の中途まで進入させ、反対側から第２の作業用踏み台１を形成するための連結杆４の端部を、第１の作業用踏み台１の連結杆４の先端部に当接又は近接するまで進入させることとする。
【００２７】
この方法の場合は、第２の作業用踏み台１の一方の端面壁２が省略されることになるので、上記予め製造した作業用踏み台１を連結していく方法に比較して、材料及び材料コストが節減される。なお、この方法の場合も、繋ぎ材１８を介しての連結は、必ずしも連結杆４のすべてについて行う必要はない。
【００２８】
作業用踏み台１の長さは連結杆４の長さにより決まり、換言すれば、連結杆４の長さを変更することにより、作業用踏み台１の長さを変更することができる。しかるに、本発明においては連結杆４として、通例、切断容易な断面四角形のアルミニウムパイプが用いられるため、作業ラインの短尺化に伴って踏み台ラインを短尺化するに当たり、寸法上半端が出るような場合においても、端部に位置する１又は複数の作業用踏み台１の連結杆４を所望長さに切断するだけで、容易且つ迅速に全体の長さ調整をすることができる。
【００２９】
上述したように、スリット９を設ける実施形態の場合の天板５は、複数に分割されていて、それぞれ任意の方法で枠体上に設置される。例えば、天板５は、連結杆４の上下面を挟持する横板２１、２２を複数の連結杆４に跨るように配置固定し、天板５の裏面にタップを立てて、横板２１、２２を通してネジ留めする方法が考えられる。その場合、天板５と横板２１の厚さは、端面壁２、３及び中間壁１０の上端面と天板５とが面一となるように設定される。なお、端面壁２、３及び中間壁１０の上面にも、同様の方法によって細長の天板５が設置される。
【００３０】
図１０（Ａ）、（Ｂ）に示す実施形態は、天板５にスリット９を設けない場合であり、この場合の天板５は１枚板で構成される。そして、端面壁２、３及び中間壁１０の大きな開口７、７ａに相当する部分は、仕切りのない１つの大きな開口７ｂとされる。端面壁２、３及び中間壁１０のその他の構成は、上記実施形態の場合に準ずる。
【００３１】
上に述べたように、本発明に係る作業用踏み台１は、一対の端面壁２、３を複数本の連結杆４によって連結して構成される枠体の上面に天板５を定着して成るので、シンプル且つ比較的軽量な構成で、運搬、据え付け、撤去等の作業を人手により行うことができ、しかも十分な剛性を付与することができ、また、それ自体長さ調整が可能なために、踏み台ラインの長さ変更の要請に容易に対応し得るものとなる。
【００３２】
また、踏み台ラインＡの構成は、連結し合う作業用踏み台１の各連結杆４間に繋ぎ材１８を挿入固定する方法により行うことができ、その場合、予め製造した作業用踏み台１同士を連結して構築する方法、作業用踏み台１を組立てつつ構築する方法、並びに、両者を取り交ぜて構築する方法のいずれかの方法により、簡単迅速に行うことができる。
【００３３】
この発明をある程度詳細にその最も好ましい実施形態について説明してきたが、この発明の精神と範囲に反することなしに広範に異なる実施形態を構成することができることは明白である。従って、この発明は、添付請求の範囲において限定した以外はその特定の実施形態に制約されるものではない。
【符号の説明】
【００３４】
１      作業用踏み台
２、３    端面壁
４      連結杆
５      天板
６      差込孔
７      開口
８      分離部
９      スリット
１０      中間壁
１１、１２  成形板
１３      切り抜き部
１４      接合用折曲片
１５      小開口
１６      上面固定用切片
１６ａ    下面固定用切片
１８      繋ぎ材
２１、２２  横板
【図１】
2015038284.tif 000003
【図２】
2015038284.tif 000004
【図３】
2015038284.tif 000005
【図４】
2015038284.tif 000006
【図５】
2015038284.tif 000007
【図６】
2015038284.tif 000008
【図７】
2015038284.tif 000009
【図８】
2015038284.tif 000010
【図９】
2015038284.tif 000011
【図１０】
2015038284.tif 000012